(57)【要約】【課題】従来の室内空気を清浄化させる空気清浄機は、フィルタ寿命の段階的な表示、フィルタの汚れ具合の段階表示は行なっているが、フィルタの清浄化能力との関連付けができず、現在空気清浄機が有効に機能しているかどうかが認識できないという課題があり、清浄化能力を直接表示して使用者に知らせることがまれている。【解決手段】空気を清浄化するためのフィルタ５と、フィルタ５に通風するファンモータ６と、運転時間を積算する運転時間積算手段７と、運転積算時間に応じて清浄化能力表示を変更する能力表示変更手段８を有し、室内の汚れ状態表示と併用したフィルタ５の初期性能を基準とした性能表示を行なう清浄化能力表示手段４の表示部４ａを備えており、運転時間に応じて清浄化能力を段階的に表示することができる。【選択図】図１
2008136976.tif 000002
【特許請求の範囲】
【請求項１】
空気清浄機の清浄化能力を表示する清浄化能力表示手段を備えた空気清浄機であって、フィルタの初期性能を基準とした清浄化能力を表示することを特徴とする空気清浄機。
【請求項２】
積算運転時間に応じて清浄化能力の表示を低下させることを特徴とする請求項１記載の空気清浄機。
【請求項３】
フィルタ前後に少なくとも２個以上の汚れセンサを配置し、前記フィルタ前後の空気汚れに応じて清浄化能力表示を行なうことを特徴とする請求項１記載の空気清浄機。
【請求項４】
汚れセンサは、粉塵センサを含むことを特徴とする請求項３記載の空気清浄機。
【請求項５】
汚れセンサは、ガスセンサを含むことを特徴とする請求項３記載の空気清浄機。
【請求項６】
フィルタ交換時に積算運転時間をリセットするリセット手段を備えたことを特徴とする請求項２記載の空気清浄機。
【請求項７】
フィルタの着脱を検出する検出手段を備え、フィルタの取り外しを検知した際にリセットの要求を受け付けることを特徴とする請求項６記載の空気清浄機。
【請求項８】
フィルタの取り外しを検知した際に、汚れセンサの感度調整を行なうことを特徴とする請求項３記載の空気清浄機。
【請求項９】
感度調整は、２個以上の汚れセンサを所定のばらつきの範囲内になるようにすることを特徴とする請求項８記載の空気清浄機。
【請求項１０】
フィルタの再セット時に、前記フィルタ前後の空気汚れの差異が所定値以上の場合、異常表示を行なうことを特徴とする請求項３記載の空気清浄機。
【請求項１１】
異常表示は、空気清浄機の清掃確認あるいはフィルタの交換確認であることを特徴とする請求項１０記載の空気清浄機。
【請求項１２】
吸込み空気の汚れ度合、吹出し空気の汚れ度合、汚れ空気の清浄化能力の度合を逐次自動で切り換えて、同一の表示部に表示することを特徴とする請求項１記載の空気清浄機。
【請求項１３】
吸込み空気の汚れ度合、吹出し空気の汚れ度合、汚れ空気の清浄化能力の度合の表示を切り換える表示切換手段を備え、表示切換手段の操作内容に応じて同一の表示部に個別に表示することを特徴とする請求項１記載の空気清浄機。
【発明の詳細な説明】
【技術分野】
【０００１】
本発明は、清浄化する実際の能力を表示する機能を有した空気清浄機に関する。
【背景技術】
【０００２】
近年、空気清浄機の汚れ状態を表示する方法は様々であり、汚れの種類を表示する空気清浄機もある。しかし、室内の空気汚れの表示は行なっているが、その空気汚れが空気清浄機を使用することで清浄化されているか否か、ユーザーは認識することができない。こういった背景のもと、フィルタの交換サインを出力表示するものやフィルタの汚れ具合を段階的に表示するものが知られている（例えば、特許文献１、特許文献２参照）。
【０００３】
以下、特許文献１に示された空気清浄機について、図１２を参照しながら説明する。
【０００４】
図１２に示すように、空気清浄機は、ケーシング１５内に内蔵された送風機１６と、該送風機１６の吸込み側に配設されたフィルタユニット１７と吸込み空気の汚れ度を検出する汚れセンサ１８とを備えており、該フィルタユニット１７により脱臭浄化した空気を空気吹出し口から吹出すように構成された空気清浄機において、汚れセンサ１８による検出値が所定レベル以上となった状態が設定時間継続した時点で前記フィルタユニット１７の交換を促すフィルタ交換サインを出力する制御手段を付設して、汚れセンサ１８の検出値が所定レベル以上となっている状態が所定時間継続した場合を、フィルタユニット１７の目詰まりによりフィルタユニット１７による空気浄化機能が限界に到達したと推定し、フィルタユニット１７の実際の汚れ具合に対応したフィルタ交換サインの出力を行なうように構成されている。
【０００５】
また、特許文献２に示された空気清浄機について、図１３を参照しながら説明する。
【０００６】
図１３に示すように、空気清浄機は、フィルタの汚れ具合を表示するフィルタサイン表示器１９において、その表示を、使用に伴うフィルタの汚れに応じて、複数段階に変化させる。フィルタサイン表示器１９は４つのＬＥＤ２０〜２３により、複数のパターン表示が可能となっている。また、フィルタサイン表示器１９の表示には、フィルタ交換時期である旨の表示が含まれており、フィルタの汚れ度の表示と異なる態様で行なうように構成されている。
【０００７】
さらに、特許文献３に示された空気清浄機の制御装置について、図１４を参照しながら説明する。
【０００８】
図１４に示すように、ニオイセンサ２４の出力からニオイランク判定手段２５がニオイの汚れ度合いのランク付けを判定し、煙センサ２６の出力から煙ランク判定手段２７が煙の汚れ度合いのランク付けを判定し、花粉センサ２８の出力から花粉ランク判定手段２９が花粉の汚れ度合いのランク付けを判定し、ニオイランク判定手段２５、煙ランク判定手段２７及び花粉ランク判定手段２９により判定されたニオイ、煙及び花粉のランク付けをそれぞれランク記憶手段３０、３１、３２が計時手段３３が設定した時間間隔の間で所定数記憶し、ランク記憶手段３０、３１、３２が記憶したニオイ、煙、花粉のランク付けを表示手段３４が各々経時的に所定間隔で最新のランクから過去のランクまで所定数さかのぼって表示するように構成されている。
【特許文献１】特開平０９−２２５２５１号公報
【特許文献２】特開２００１−３０４６６９号公報
【特許文献３】特開２００５−２３８０６３号公報
【発明の開示】
【発明が解決しようとする課題】
【０００９】
このような従来の空気清浄機では、フィルタユニットの寿命を段階的に表示する機能を備えたり、フィルタの汚れ具合を複数段階に変化させて表示する機能は備えているが、使用者は寿命表示や汚れ具合表示と清浄化能力との相関付けが困難であり、空気清浄機が室内空気の清浄化に対して現在有効に働いているか否か確認することができないという課題があり、空気清浄機の清浄化能力を直接表示して使用者に知らせることが要求されている。
【００１０】
また、室内の汚れとフィルタ寿命を切替えて表示する機能は備えているが、清浄化能力をリアルタイムに表示されていないため、現在の汚れレベルと清浄化能力を比較確認することができないという課題があり、空気清浄機の能力に相当する清浄化能力と現在の汚れレベルを表示して使用者に知らせて比較確認を可能とし、より実際の運転条件、フィルタの使用条件に沿った使い方を可能とすることが要求されている。
【００１１】
本発明は、このような従来の課題を解決するものであり、清浄化能力を直接表示して、使用者に知らせるようにすることで、使用者の使い勝手をより向上させ、メンテナンス時期や空気清浄機の効果を解かり易く理解することができる空気清浄機を提供することを目的としている。
【課題を解決するための手段】
【００１２】
本発明の空気清浄機は、清浄化能力を表示する清浄化能力表示手段を備えた空気清浄機であって、フィルタの初期性能を基準とした清浄化能力を表示するような構成としたものである。
【００１３】
この手段により、初期性能を基準とした相対的な能力表示は、絶対的な能力表示よりも解かり易く表示することができ、使用者は清掃あるいは交換する時期を認識し易く、初期の性能により早く復旧させることができる空気清浄機が得られる。
【００１４】
また、積算運転時間に応じて清浄化能力表示を低下させるような構成としたものである。
【００１５】
この手段により、汚れセンサなどが不要であり、より安価に清浄化能力を表示することができる空気清浄機が得られる。
【００１６】
さらに、フィルタ前後に少なくとも２個以上の汚れセンサを配置し、前記フィルタ前後の空気汚れに応じて能力表示を行なうような構成としたものである。
【００１７】
この手段により、フィルタ前後、すなわちフィルタの除去性能を直接監視することができるため、より高い精度で清浄化能力を表示することができる空気清浄機が得られる。
【００１８】
また、汚れセンサは、粉塵センサを含むような構成としたものである。
【００１９】
この手段により、使用者の生活行為、例えば布団の上げ下げ、喫煙行為、あるいは外部の環境変化、例えば花粉等の飛来に係る粉塵による空気汚れを対象とした清浄化能力を表示することができる空気清浄機が得られる。
【００２０】
さらに、汚れセンサは、ガスセンサを含むような構成としたものである。
【００２１】
この手段により、使用者の生活行為、例えば食事や排泄行為、あるいは生活行為に比較的関連の薄い環境変化、例えば揮発性有機ガス（ＶＯＣ）などに係る臭気成分による空気汚れを対象とした清浄化能力を表示することができる空気清浄機が得られる。
【００２２】
また、フィルタ交換時に積算運転時間をリセットするリセット手段を備える構成としたものである。
【００２３】
この手段により、フィルタ交換時に初期の清浄化能力となったことを認識できるため、交換以降も清浄化能力を表示することができる空気清浄機が得られる。
【００２４】
さらに、フィルタの着脱を検出する検出手段を備え、フィルタの取り外しを検知した際にリセットの要求を受け付けるような構成としたものである。
【００２５】
この手段により、使用者がフィルタ交換を行なったことを認識し、積算運転時間の誤ったリセットを回避することができ、初期の清浄化能力をより確実に再設定することができる空気清浄機が得られる。
【００２６】
また、フィルタの取り外しを検知した際に、汚れセンサの感度調整を行なうような構成としたものである。
【００２７】
この手段により、汚れセンサ自体の変化、すなわち汚れセンサ自体の汚れや汚れセンサの信号ドリフトを補正し、定期的な校正を行なうことができ、フィルタ通過前の汚れた空気に暴露され続けた汚れセンサの信号と、フィルタ通過後の汚れセンサの信号の変位を正しく評価することができるため、汚れセンサの経年変化に影響を受けることのない清浄化能力の検出および表示を可能とした空気清浄機が得られる。
【００２８】
さらに、感度調整は、２個以上の汚れセンサを所定のばらつきの範囲内になるような構成としたものである。
【００２９】
この手段により、必要以上の感度調整を無くし、より低コストでより簡単な感度調整とすることができる空気清浄機が得られる。
【００３０】
また、フィルタの再セット時に、前記フィルタ前後の空気汚れの差異が所定値以上の場合、異常表示を行なうような構成としたものである。
【００３１】
この手段により、フィルタ交換がなされたか否か、あるいは汚れセンサに過剰な汚れが付着していないか否か等を確認する必要性を明確に表示することができ、装置内の汚れに起因する清浄化性能の低下を未然に防止することができる空気清浄機が得られる。
【００３２】
さらに、異常表示は、空気清浄機の清掃確認あるいはフィルタの交換確認とするように構成したものである。
【００３３】
この手段により、使用者に対して明確に考えられる異常原因を表示することができ、初期の清浄化性能に戻すための処理をいち早く報知することを可能とすることができる空気清浄機が得られる。
【００３４】
また、吸込み空気の汚れ度合、吹出し空気の汚れ度合、汚れ空気の清浄化能力の度合を逐次自動で切り換えて、同一の表示部に表示するような構成としたものである。
【００３５】
この手段により、各個別の表示部を必要とせず、より比較し易く、空気の清浄化能力を確認し易くすることができる空気清浄機が得られる。
【００３６】
さらに、吸込み空気の汚れ度合、吹出し空気の汚れ度合、汚れ空気の清浄化能力の度合の表示を切り換える表示切換手段を備え、表示切換手段の操作内容に応じて同一の表示部に個別に表示するような構成としたものである。
【００３７】
この手段により、各個別の表示部を必要とせず、より比較し易く、かつ同一の表示内容で使用者が確認完了するまでは固定されているため、空気の清浄化能力をより確認し易くすることができる空気清浄機が得られる。
【発明の効果】
【００３８】
本発明によれば、清浄化能力を表示する清浄化能力表示手段を備えた空気清浄機であって、フィルタの初期性能を基準とした清浄化能力を表示するような構成とすることで、初期性能を基準とした相対的な能力表示は、絶対的な能力表示よりも解かり易く表示することができ、使用者は清掃あるいは交換する時期を認識し易く、初期の性能により早く復旧させることができる空気清浄機を提供できる。
【００３９】
また、積算運転時間に応じて清浄化能力表示を低下させるような構成とすることで、汚れセンサなどが不要であり、より安価に清浄化能力を表示することができる空気清浄機を提供できる。
【００４０】
さらに、フィルタ前後に少なくとも２個以上の汚れセンサを配置し、前記フィルタ前後の空気汚れに応じて能力表示を行なうような構成とすることで、フィルタ前後、すなわちフィルタの除去性能を直接監視することができるため、より高い精度で清浄化能力を表示することができる空気清浄機を提供できる。
【００４１】
また、汚れセンサは、粉塵センサを含むような構成とすることで、使用者の生活行為、例えば布団の上げ下げ、喫煙行為、あるいは外部の環境変化、例えば花粉等の飛来に係る粉塵による空気汚れを対象とした清浄化能力を表示することができる空気清浄機を提供できる。
【００４２】
さらに、汚れセンサは、ガスセンサを含むような構成とすることで、使用者の生活行為、例えば食事や排泄行為、あるいは生活行為に比較的関連の薄い環境変化、例えば揮発性有機ガス（ＶＯＣ）などに係る臭気成分による空気汚れを対象とした清浄化能力を表示することができる空気清浄機を提供できる。
【００４３】
また、フィルタ交換時に積算運転時間をリセットするリセット手段を備える構成とすることで、フィルタ交換時に初期の清浄化能力となったことを認識できるため、交換以降も清浄化能力を表示することができる空気清浄機を提供できる。
【００４４】
さらに、フィルタの着脱を検出する検出手段を備え、フィルタの取り外しを検知した際にリセットの要求を受け付けるような構成とすることで、使用者がフィルタ交換を行なったことを認識し、積算運転時間の誤ったリセットを回避することができ、初期の清浄化能力をより確実に再設定することができる空気清浄機を提供できる。
【００４５】
また、フィルタの取り外しを検知した際に、汚れセンサの感度調整を行なうような構成とすることで、汚れセンサ自体の変化、すなわち汚れセンサ自体の汚れや汚れセンサの信号ドリフトを補正し、定期的な校正を行なうことができ、フィルタ通過前の汚れた空気に暴露され続けた汚れセンサの信号と、フィルタ通過後の汚れセンサの信号の変位を正しく評価することができるため、汚れセンサの経年変化に影響を受けることのない清浄化能力の検出および表示を可能とした空気清浄機を提供できる。
【００４６】
さらに、感度調整は、２個以上の汚れセンサを所定のばらつきの範囲内になるような構成とすることで、必要以上の感度調整を無くし、より低コストでより簡単な感度調整とすることができる空気清浄機を提供できる。
【００４７】
また、フィルタの再セット時に、前記フィルタ前後の空気汚れの差異が所定値以上の場合、異常表示を行なうような構成とすることで、フィルタ交換がなされたか否か、あるいは汚れセンサに過剰な汚れが付着していないか否か等を確認する必要性を明確に表示することができ、装置内の汚れに起因する清浄化性能の低下を未然に防止することができる空気清浄機を提供できる。
【００４８】
さらに、異常表示は、空気清浄機の清掃確認あるいはフィルタの交換確認とするような構成とすることで、使用者に対して明確に考えられる異常原因を表示することができ、初期の清浄化性能に戻すための処理をいち早く報知することを可能とすることができる空気清浄機を提供できる。
【００４９】
また、吸込み空気の汚れ度合、吹出し空気の汚れ度合、汚れ空気の清浄化能力の度合を逐次自動で切り換えて、同一の表示部に表示するような構成とすることで、各個別の表示部を必要とせず、より比較し易く、空気の清浄化能力を確認し易くすることができる空気清浄機を提供できる。
【００５０】
さらに、吸込み空気の汚れ度合、吹出し空気の汚れ度合、汚れ空気の清浄化能力の度合の表示を切り換える表示切換手段を備え、表示切換手段の操作内容に応じて同一の表示部に個別に表示するような構成とすることで、各個別の表示部を必要とせず、より比較し易く、かつ同一の表示内容で使用者が確認完了するまでは固定されているため、空気の清浄化能力をより確認し易くすることができる空気清浄機を提供できる。
【発明を実施するための最良の形態】
【００５１】
本発明の請求項１記載の発明は、清浄化能力を表示する清浄化能力表示手段を備えた空気清浄機であって、フィルタの初期性能を基準とした清浄化能力を表示するような構成としたものであり、初期性能を基準とした相対的な能力表示は、絶対的な能力表示よりも解かり易く表示することができ、使用者は清掃あるいは交換する時期を認識し易く、初期の性能により早く復旧させることができるという作用を有する。
【００５２】
また、積算運転時間に応じて清浄化能力表示を低下させるような構成としたものであり、汚れセンサなどが不要であり、より安価に清浄化能力を表示することができるという作用を有する。
【００５３】
さらに、フィルタ前後に少なくとも２個以上の汚れセンサを配置し、前記フィルタ前後の空気汚れに応じて能力表示を行なうような構成としたものであり、フィルタ前後、すなわちフィルタの除去性能を直接監視することができるため、より高い精度で清浄化能力を表示することができるという作用を有する。
【００５４】
また、汚れセンサは、粉塵センサを含むような構成としたものであり、使用者の生活行為、例えば布団の上げ下げ、喫煙行為、あるいは外部の環境変化、例えば花粉等の飛来に係る粉塵による空気汚れを対象とした清浄化能力を表示することができるという作用を有する。
【００５５】
さらに、汚れセンサは、ガスセンサを含むような構成としたものであり、使用者の生活行為、例えば食事や排泄行為、あるいは生活行為に比較的関連の薄い環境変化、例えば揮発性有機ガス（ＶＯＣ）などに係る臭気成分による空気汚れを対象とした清浄化能力を表示することができるという作用を有する。
【００５６】
また、フィルタ交換時に積算運転時間をリセットするリセット手段を備える構成としたものであり、フィルタ交換時に初期の清浄化能力となったことを認識できるため、交換以降も清浄化能力を表示することができるという作用を有する。
【００５７】
さらに、フィルタの着脱を検出する検出手段を備え、フィルタの取り外しを検知した際にリセットの要求を受け付けるような構成としたものであり、使用者がフィルタ交換を行なったことを認識し、積算運転時間の誤ったリセットを回避することができ、初期の清浄化能力をより確実に再設定することができるという作用を有する。
【００５８】
また、フィルタの取り外しを検知した際に、汚れセンサの感度調整を行なうような構成としたものであり、汚れセンサ自体の変化、すなわち汚れセンサ自体の汚れや汚れセンサの信号ドリフトを補正し、定期的な校正を行なうことができ、フィルタ通過前の汚れた空気に暴露され続けた汚れセンサの信号と、フィルタ通過後の汚れセンサの信号の変位を正しく評価することができるため、汚れセンサの経年変化に影響を受けることのない清浄化能力の検出および表示を可能とすることができるという作用を有する。
【００５９】
さらに、感度調整は、２個以上の汚れセンサを所定のばらつきの範囲内になるような構成としたものであり、必要以上の感度調整を無くし、より低コストでより簡単な感度調整とすることができるという作用を有する。
【００６０】
また、フィルタの再セット時に、前記フィルタ前後の空気汚れの差異が所定値以上の場合、異常表示を行なうような構成としたものであり、フィルタ交換がなされたか否か、あるいは汚れセンサに過剰な汚れが付着していないか否か等を確認する必要性を明確に表示することができ、装置内の汚れに起因する清浄化性能の低下を未然に防止することができるという作用を有する。
【００６１】
さらに、異常表示は、空気清浄機の清掃確認あるいはフィルタの交換確認とするような構成としたものであり、使用者に対して明確に考えられる異常原因を表示することができ、初期の清浄化性能に戻すための処理をいち早く報知することを可能とすることができるという作用を有する。
【００６２】
また、吸込み空気の汚れ度合、吹出し空気の汚れ度合、汚れ空気の清浄化能力の度合を逐次自動で切り換えて、同一の表示部に表示するような構成としたものであり、各個別の表示部を必要とせず、より比較し易く、空気の清浄化能力を確認し易くすることができるという作用を有する。
【００６３】
さらに、吸込み空気の汚れ度合、吹出し空気の汚れ度合、汚れ空気の清浄化能力の度合の表示を切り換える表示切換手段を備え、表示切換手段の操作内容に応じて同一の表示部に個別に表示するような構成としたものであり、各個別の表示部を必要とせず、より比較し易く、かつ同一の表示内容で使用者が確認完了するまでは固定されているため、空気の清浄化能力をより確認し易くすることができるという作用を有する。
【００６４】
以下、本発明の実施の形態について図面を参照しながら説明する。
【００６５】
（実施の形態１）
図１は、本実施の形態１における空気清浄機の構成図を示す。
【００６６】
図に示すように、空気清浄機は、本体１の正面にフロントパネルを設け、本体正面の下部に吸込み口２、正面の上部に吹出し口３を備えており、本体１の正面上部に清浄化能力を表示する清浄化能力表示手段４の表示部４ａを備えている。表示部４ａは、複数の発光色で点灯が可能なＬＥＤ４ａ＿Ａ〜ＬＥＤ４ａ＿Ｅを備えている。また、本体１の内部には、空気を清浄化するためのフィルタ５と、フィルタ５に通風するファンモータ６と、運転時間を積算する運転時間積算手段７を有しており、運転積算時間に応じて清浄化能力表示を変更する能力表示変更手段８を有している。さらに、フィルタ５の着脱を検知する着脱検知手段９と、空気浄化用のフィルタ５の交換した時にのみ積算運転時間をリセットするリセット手段１０を備えている。
【００６７】
次に、運転時間積算手段７のフローチャートについて、図２を参照しながら説明する。
【００６８】
図に示すように、運転時間積算手段７は、ファンモータ６が回転しているか否かの信号を入力し、回転していれば単位時間カウントをスタートさせて、回転から停止となった際にカウンタを停止する。このカウンタ値を実時間に変換して積算時間を求めることができる。
【００６９】
次に、能力表示変更手段８のフローチャートについて、図３を参照しながら説明する。
【００７０】
図に示すように、能力表示変更手段８は、運転時間積算手段７から積算運転時間を入力する。入力した積算運転時間が所定の上限時間（例えば１２ヶ月）を経過している場合、初期特性相当の能力は得られていない表示を行なう。上限時間を経過していなければ、積算運転時間を１２時間で除算することで、比率を演算し清浄化能力とする。
【００７１】
次に、着脱検知手段９の構成について、図４を参照しながら説明する。
【００７２】
図に示すように、着脱検知手段９は、フィルタ５を本体１から取り外す際に解除するストッパー９ａと、ストッパー９ａが解除されたことを検出する解除検知部９ｂと、着脱状態を検知する着脱検知部９ｃと、検出した結果を出力する着脱出力部９ｄを備えている。着脱検知手段９は、使用者がフィルタ５を本体１から取り外す際、ストッパー９ａを解除する必要があり、フィルタ５が取り外された場合に着脱検知部９ｃを有しているため、解除したか否か検出する、すなわちフィルタを取り外したことでフィルタ５の挿入口に取り付けられた着脱検知部９ｃがオフとなり、取り外したか否かが判定することができる。
【００７３】
次に、リセット手段１０の制御フローチャートについて、図５を参照しながら説明する。
【００７４】
図に示すように、リセット手段１０は、着脱検知手段９により取り外したか否か、および正常に取り付けられたか否かを入力する。正常な取り外しと正常な取り付けが実施されていない場合、フィルタ５は清掃あるいは交換されたと認識されず、積算運転時間はリセットされないこととなる。着脱検知手段９による正常な取り外し、及び正常に取り付けが判定されると、積算運転時間はリセットされることとなる。
【００７５】
以上のように、本実施の形態１によれば、フィルタの初期性能を基準とした清浄化能力を表示することとなり、積算運転時間に応じて清浄化能力を低下させることから、より簡単な構成で実現することができる。この表示方法により、使用者にとって解かり易く、清掃あるいは交換時期が認識しやすくすることができる。また、フィルタ交換時にフィルタの取り外しを検知し、検知した場合にのみリセット要求を受けて積算運転時間をリセットすることにより、初期の清浄化能力となったことを正確に認識することができることとなる。
【００７６】
（実施の形態２）
図６は、本実施の形態２における空気清浄機の構成図を示す。
【００７７】
なお、実施の形態１と同一のものは同一記号を付し、詳細な説明は省略する。
【００７８】
図に示すように、空気清浄機は、本体１の正面にフロントパネルを設け、本体正面の下部に吸込み口２、正面の上部に吹出し口３を備えており、本体１の正面上部に清浄化能力を表示する清浄化能力表示手段４の表示部４ａを備えている。表示部４ａは、複数の発光色で点灯が可能なＬＥＤ４ａ＿Ａ〜ＬＥＤ４ａ＿Ｅを備えている。また、本体１の内部には、吸込み空気の汚れ度合、吹出し空気の汚れ度合、汚れ空気の清浄化能力の度合の表示を切り換える表示切換手段１１を備えている。吸込み空気の汚れ度合、吹出し空気の汚れ度合の検出は、例えば粉塵センサやガスセンサを使用した方法があるが、公知の技術のため、詳細な説明は省略する。
【００７９】
次に表示切換手段１１の構成について、図７を参照しながら説明する。
【００８０】
図に示すように、表示切換手段１１は、切換スイッチ１１ａと、切換スイッチ１１ａの入力状態を認識するスイッチ認識部１１ｂと、スイッチ認識部１１ｂにて認識した切換スイッチ１１ａの入力回数から清浄化能力表示手段４に表示する表示内容を選択して、表示部４ａに出力する表示内容出力部１１ｃを備えている。
【００８１】
次に、表示内容出力部１１ｃの制御フローチャートについて、図８を参照しながら説明する。
【００８２】
図に示すように、表示内容出力部１１ｃは、吸込み空気の汚れ度合いを初期の表示内容としてセットする。その後、切換スイッチ１１ａの押下の有無を入力し、切換スイッチ１１ａの押下があれば、押下回数に応じて、表示ポインタをスライドさせてポインタのある位置の表示内容を選択する。選択した表示内容を表示部４ａへ出力する。
【００８３】
以上のように、本実施の形態２によれば、吸込み空気の汚れ度合、吹出し空気の汚れ度合、汚れ空気の清浄化能力の度合の表示を使用者の操作内容に応じて同一の表示部に切り換えて個別表示することができる。
【００８４】
（実施の形態３）
図９は、本実施の形態３における空気清浄機の構成図を示す。
【００８５】
なお、実施の形態１あるいは２と同一のものは同一記号を付し、詳細な説明は省略する。
【００８６】
図に示すように、空気清浄機は、本体１の正面にフロントパネルを設け、本体正面の下部に吸込み口２、正面の上部に吹出し口３を備えており、本体１の正面上部に清浄化能力を表示する清浄化能力表示手段４の表示部４ａと、着脱検知手段９と、フィルタ５の空気流入側に配置した第一汚れセンサ１２ａとしての粉塵センサ１２ａ＿Ａおよびガスセンサ１２ａ＿Ｂと、フィルタ５の空気流出側に配置した第二汚れセンサ１２ｂとしての粉塵センサ１２ｂ＿Ａおよびガスセンサ１２ｂ＿Ｂと、フィルタ５の取り外しを検知した際に第一汚れセンサ１２ａ、第二汚れセンサ１２ｂを所定のばらつき範囲内となるように感度調整を行なう感度調整手段１３と、フィルタ５の取り外しから再セット時に第一汚れセンサ１２ａ、第二汚れセンサ１２ｂの検出値の差異が所定値以上の場合、異常表示を行なう異常表示手段１４としての異常判定部１４ａと清掃交換確認ＬＥＤ１４ｂを備えている。
【００８７】
次に感度調整手段１３の制御フローチャートについて、図１０を参照しながら説明する。
【００８８】
図に示すように、感度調整手段１３は、粉塵センサ１２ａ＿Ａ、ガスセンサ１２ａ＿Ｂ、粉塵センサ１２ｂ＿Ａ、ガスセンサ１２ｂ＿Ｂのそれぞれの検出値を入力する。さらに着脱検知手段９からフィルタ５の取り外しがあったか否かの信号を入力する。取り外しが発生すれば、感度調整に移行し、発生しなければ処理を抜ける。取り外しが発生した時の処理は、取り外し後の粉塵センサ１２ａ＿Ａ、粉塵センサ１２ｂ＿Ａの出力信号は、正常時ほぼ同等の値を示すため、出力信号の値が同等になるように調整する。調整は出力の小さい信号値に合わせるように補正する。補正方法は、出力信号のゲイン調整として乗算する比例定数を変更することで実施する。同様にガスセンサ１２ａ＿Ｂ、ガスセンサ１２ｂ＿Ｂについても補正を行なう。
【００８９】
次に異常判定部１４ａの制御フローチャートについて、図１１を参照しながら説明する。
【００９０】
図に示すように、異常判定部１４ａは、感度調整手段１３により感度調整した後、着脱検知手段９からフィルタ５が新たに装着されたか否かの信号を入力する。フィルタ５が装着されたことを入力すると、異常判定に移行し、入力が無ければ処理を抜ける。装着があったことを入力した場合で、汚れた状態のフィルタ５をそのまま戻した場合、あるいは本体１内の風路に極端な汚れがある場合は、粉塵センサ１２ａ＿Ａ、粉塵センサ１２ｂ＿Ａの検出値に差異が生じる、あるいはガスセンサ１２ａ＿Ｂ、ガスセンサ１２ｂ＿Ｂの検出値に差異が生じることとなる。第一汚れセンサ１２ａ、第二汚れセンサ１２ｂの差異がフィルタ５のばらつき等を考慮した粉塵センサ閾値Ｓｐ、ガスセンサ閾値Ｓｇと比較して閾値を超える差異があった場合に異常と判定する。異常を判定した差異には、本体１内部の清掃あるいはフィルタ５の交換確認を促す清掃交換確認ＬＥＤ１４ｂを点灯させる。
【００９１】
以上のように、本実施の形態３によれば、フィルタ前後に２個の汚れセンサを配置してフィルタの汚れに対する除去性能を直接監視することとなる。また、汚れセンサは粉塵センサ、ガスセンサを使用しているため、布団の上げ下げ、喫煙行為といった生活行為、あるいは花粉等の飛来に係る粉塵による空気汚れといった外部の環境変化を対象とした空気汚れに対する清浄化能力を検出することができる。また、生活行為による空気汚れ、環境変化による空気汚れを自動で切り換えて同一の表示部に表示することができることとなる。さらに、フィルタの取り外しを検知した際に、フィルタ前後に配置した汚れセンサはほぼ同一の空気質を検知することとなるため、その時の汚れセンサの出力信号を互いに感度調整することで校正することができることとなる。また、フィルタの再セット後、フィルタ前後の汚れセンサの出力の差異が所定値以上となった場合、フィルタが汚れている、あるいは汚れセンサに過剰な汚れが付着している等の異常が発生している可能性を検出することができ、その異常発生の可能性を表示することで使用者に確認と措置を促すことができることとなる。
【産業上の利用可能性】
【００９２】
各種機器の実際の能力表示に関するものであり、空気の清浄化に関するもの以外に温熱制御に関する機器の能力表示などの用途にも適用できる。
【図面の簡単な説明】
【００９３】
【図１】本発明の実施の形態１における空気清浄機の構成図
【図２】同運転時間積算手段７のフローチャート
【図３】同能力表示変更手段８のフローチャート
【図４】同着脱検知手段９の構成図
【図５】同リセット手段１０の制御フローチャート
【図６】本発明の実施の形態２における空気清浄機の構成図
【図７】同表示切換手段１１の構成図
【図８】同表示内容出力部１１ｃの制御フローチャート
【図９】本発明の実施の形態３における空気清浄機の構成図
【図１０】同感度調整手段１３の制御フローチャート
【図１１】同異常判定部１４ａの制御フローチャート
【図１２】特許文献１における従来の空気清浄機の構成図
【図１３】特許文献２における従来の空気清浄機の構成図
【図１４】特許文献３における従来の空気清浄機の制御装置の構成図
【符号の説明】
【００９４】
１      本体
２      吸込み口
３      吹出し口
４      清浄化能力表示手段
４ａ    表示部
４ａ＿Ａ〜４ａ＿Ｅ  ＬＥＤ
５      フィルタ
６      ファンモータ
７      運転時間積算手段
８      能力表示変更手段
９      着脱検知手段
９ａ    ストッパー
９ｂ    解除検知部
９ｃ    着脱検知部
９ｄ    着脱出力部
１０    リセット手段
１１    表示切換手段
１１ａ  切換スイッチ
１１ｂ  スイッチ認識部
１１ｃ  表示内容出力部
１２ａ  第一汚れセンサ
１２ａ＿Ａ  粉塵センサ
１２ａ＿Ｂ  ガスセンサ
１２ｂ  第二汚れセンサ
１２ｂ＿Ａ  粉塵センサ
１２ｂ＿Ｂ  ガスセンサ
１３    感度調整手段
１４    異常表示手段
１４ａ  異常判定部
１４ｂ  清掃交換確認ＬＥＤ
【図１】
2008136976.tif 000003
【図２】
2008136976.tif 000004
【図３】
2008136976.tif 000005
【図４】
2008136976.tif 000006
【図５】
2008136976.tif 000007
【図６】
2008136976.tif 000008
【図７】
2008136976.tif 000009
【図８】
2008136976.tif 000010
【図９】
2008136976.tif 000011
【図１０】
2008136976.tif 000012
【図１１】
2008136976.tif 000013
【図１２】
2008136976.tif 000014
【図１３】
2008136976.tif 000015
【図１４】
2008136976.tif 000016